(57)【要約】【課題】内部絶縁体の外径より狭い間隔で中心導体を整列させ、接続箇所の幅を小さくすることのできる多心ケーブルを提供する。【解決手段】中心導体２１と、その外側に配設された内部絶縁体２２と、内部絶縁体２２の外側に配設された外部導体２６と、外部導体２６の外側に配設された外被２７とを有する同軸ケーブル２０が複数並列された多心ケーブル１０であって、同軸ケーブル２０の内部絶縁体２２は、中心導体２１の外周を覆う筒状部２２ａと、筒状部２２ａから径方向の外側へ放射状に延びた複数の壁板２２ｂとを備えるとともに、壁板２２ｂ同士の間に溝状の空間２５が形成されており、露出された内部絶縁体２２同士が接触されて平面状に整列された整列部１１ｂを有し、整列部１１ｂにおいて内部絶縁体２２の径方向の断面内において複数の壁板２２ｂの先端を通り同軸ケーブル２０の外周と同心である円Ｃの内側に隣接する内部絶縁体２２が入り込んでいる。【選択図】図３
2008311139.tif 000002
【特許請求の範囲】
【請求項１】
中心導体と、その外側に配設された内部絶縁体と、前記内部絶縁体の外側に配設された外部導体と、前記外部導体の外側に配設された外被とを有する同軸ケーブルが複数並列された多心ケーブルであって、
少なくとも１本の前記同軸ケーブルの前記内部絶縁体は、前記中心導体の外周を覆う筒状部と、前記筒状部から径方向の外側へ放射状に延びた複数の壁板とを備えるとともに、前記壁板同士の間に溝状の空間が形成されており、
少なくとも一方の端部で、前記中心導体、前記内部絶縁体、前記外部導体が順に露出されていて、露出された前記内部絶縁体同士が接触されて平面状に整列された整列部を有し、
前記整列部において前記内部絶縁体の径方向の断面内において前記複数の壁板の先端を通り前記同軸ケーブルの外周と同心である円の内側に隣接する前記内部絶縁体が入り込んでいることを特徴とする多心ケーブル。
【請求項２】
請求項１に記載の多心ケーブルであって、
隣接する前記内部絶縁体によって前記壁板が変形されて前記空間が広げられ、その広がった空間内に隣接する前記内部絶縁体が入り込んでいることを特徴とする多心ケーブル。
【請求項３】
請求項１または２に記載の多心ケーブルであって、
前記壁板が、隣接する前記内部絶縁体の前記空間内に入り込んでいることを特徴とする多心ケーブル。
【発明の詳細な説明】
【技術分野】
【０００１】
本発明は、中心導体、内部絶縁体、外部導体及び外被を有する同軸ケーブルが複数並列された多心ケーブルに関する。
【背景技術】
【０００２】
近年、携帯端末や小型ビデオカメラなどの普及により、これら電子機器の小型・軽量化の他に、高速・高画質化が求められている。これらに対応するために、機器本体と液晶表示部との接続や機器内の配線などに、極めて細い同軸ケーブルが用いられている。また、配線の容易性から、複数本の同軸ケーブルを集合一体化させたハーネス形状の多心ケーブルが用いられている。
【０００３】
細径の同軸ケーブルとしては、例えば、特許文献１に記載されたものが知られている。
図７に示すように、特許文献１に記載された細径同軸ケーブル１００は、中心導体１０１の外側に被覆層１０２を有し、被覆層１０２の外側に外部シールド導体層１０３が設けられている。さらに、外部シールド導体１０３の外側には保護被覆層１０５が設けられている。被覆層１０２は、中心導体１０１の外周を覆う環状部１０２ａと、環状部１０２ａの外側に突設された柱状部１０２ｂとを有している。柱状部１０２ｂは、細径同軸ケーブル１００の長手軸方向に沿って設けられている。外部シールド導体層１０３は、被覆層１０２の柱状部１０２ｂの外周に接するように設けられていて、外部シールド導体層１０３の内側には、柱状部１０２ｂで区画され、細径同軸ケーブル１００の長手方向に連続した空隙部１０４が設けられている。
【０００４】
【特許文献１】特開２００４−５５１４４号公報
【発明の開示】
【発明が解決しようとする課題】
【０００５】
ところで、電子機器の小型化に伴い、多心ケーブルを接続する基板やコネクタ等の接続端子の狭ピッチ化が要求されている。また、接続箇所の幅をできるだけ小さくしたい要求もある。ハーネス形状の多心ケーブルでは、その端末部分で平面状に整列させて、中心導体、内部絶縁体、及び外部導体を段階的に露出させるなどの端末処理を行うが、その際、隣接した同軸ケーブルの内部絶縁体同士を接触させて整列させるため、中心導体の整列ピッチは内部絶縁体の外径と同等であるのが一般的であった。
【０００６】
そこで、本発明の目的は、内部絶縁体の外径より狭い間隔で中心導体を整列させ、接続箇所の幅を小さくすることのできる多心ケーブルを提供することにある。
【課題を解決するための手段】
【０００７】
前記課題を解決することのできる本発明に係る多心ケーブルは、中心導体と、その外側に配設された内部絶縁体と、前記内部絶縁体の外側に配設された外部導体と、前記外部導体の外側に配設された外被とを有する同軸ケーブルが複数並列された多心ケーブルであって、少なくとも１本の前記同軸ケーブルの前記内部絶縁体は、前記中心導体の外周を覆う筒状部と、前記筒状部から径方向の外側へ放射状に延びた複数の壁板とを備えるとともに、前記壁板同士の間に溝状の空間が形成されており、少なくとも一方の端部で、前記中心導体、前記内部絶縁体、前記外部導体が順に露出されていて、露出された前記内部絶縁体同士が接触されて平面状に整列された整列部を有し、前記整列部において前記内部絶縁体の径方向の断面内において前記複数の壁板の先端を通り前記同軸ケーブルの外周と同心である円の内側に隣接する前記内部絶縁体が入り込んでいることを特徴とする。
【０００８】
本発明に係る多心ケーブルにおいて、隣接する前記内部絶縁体によって前記壁板が変形されて前記空間が広げられ、その広がった空間内に隣接する前記内部絶縁体が入り込んでいることが好ましい。
【０００９】
また、本発明に係る多心ケーブルにおいて、前記壁板が、隣接する前記内部絶縁体の前記空間内に入り込んでいることが好ましい。
【発明の効果】
【００１０】
本発明に係る多心ケーブルは、多心ケーブルを構成する同軸ケーブルの少なくとも１本の内部絶縁体が、外側へ放射状に延びた複数の壁板を備え、その間に溝状の空間が形成されている。そして、隣り合う内部絶縁体同士を接触させて平面状に整列された整列部では、隣接する内部絶縁体が前記空間内に入り込むことで、隣接した同軸ケーブルの中心導体同士の中心距離が、内部絶縁体の外径よりも短くなる。したがって、内部絶縁体の外径より狭い間隔で中心導体を整列させることができ、それに伴い電子機器内の接続箇所の幅を小さくすることが可能となり、配線設計の自由度を向上させることができる。
【発明を実施するための最良の形態】
【００１１】
以下、本発明に係る多心ケーブルの実施形態の例を、図面を参照しつつ説明する。
図１は、本実施形態に係る多心ケーブルの端部を示す概略斜視図である。
【００１２】
図１に示すように、多心ケーブル１０は、複数本の同軸ケーブル２０を並列して形成されている。多心ケーブル１０は、各同軸ケーブル２０を束状にまとめた束部１３を有し、束部１３から端部にかけては、ある程度の長さで各同軸ケーブル２０が平面状に並列に整列された整列部１１が設けられている。
【００１３】
図２に、同軸ケーブル２０の断面図を示す。
図２に示すように、同軸ケーブル２０は、中央に中心導体２１を有し、中心導体２１の外周に配設された内部絶縁体２２と、内部絶縁体２２の外周に配設された外部導体２６と、外部導体２６の外周に配設された絶縁性の外被２７と、を有しており、これらを同軸状に配設して構成されている。本実施形態の同軸ケーブル２０として、例えばＡＷＧ(American  Wire  Gauge)４０よりも細いもの、好ましくはＡＷＧ４０〜４６程度の極細径のものを用いることができる。
【００１４】
中心導体２１は、複数本の線状の導体を撚って形成することができるが、１本の線状の導体であってもよい。また、内部絶縁体２２は、例えばＰＦＡ等のフッ素樹脂からなり、中心導体２１を全周にわたって被覆する筒状部２２ａと、筒状部２２ａの外表面から径方向の外側に放射状に延びる複数（図２では６つ）の壁板２２ｂとが、押し出し被覆により形成されている。壁板２２ｂは、同軸ケーブル２０の中心軸方向に沿って平行に直線状に設けられていると良いが、螺旋状であっても良い。また、各壁板２２ｂの先端は、同軸ケーブル２０の外周と同心である円周上に位置している。壁板２２ｂは、外力が作用していないときには筒状部２２ａから放射状に真っ直ぐ延びた状態を保持するが、外力が作用した場合には容易に変形可能となっている。また、壁板２２ｂ同士の間には、それぞれ溝状の空間２５が形成されている。なお、筒状部２２ａの断面形状は、円形に限らず、正多角形等であってもよい。
【００１５】
外部導体２６は、複数本の導体の素線を内部絶縁体２２の各壁板２２ｂの先端位置に横巻きで螺旋状に巻き付けることで形成されている。外被２７は、外部導体２６の外周面を被覆する例えばＰＦＡ等のフッ素樹脂からなり、押し出し被覆により形成されている。
【００１６】
図１に示した束部１３から端部にかけては、各同軸ケーブル２０が口出し処理されており、先端側から順に、中心導体２１、内部絶縁体２２及び外部導体２６がそれぞれ段階的に所定長さ露出して、先端に行くほど外径が小さくなっている。外部導体２６が露出した部分では、各同軸ケーブル２０は接触し合わない。そして、内部絶縁体２２が露出した部分では隣り合う同軸ケーブル２０の間隔はさらに広がるが、その先端側では、隣り合う内部絶縁体２２が接触し合い、かつ一平面上に並列されるように各内部絶縁体２２が寄せ集められて整列部１１ｂが形成されている。
【００１７】
図３に、整列部１１ｂにおける断面図を示す。
内部絶縁体２２の径方向の断面内において、変形していない状態の複数の壁板２２ｂの先端を通り同軸ケーブル２０の外周と同心である円Ｃを仮想する。円Ｃの直径は内部絶縁体２２の外径Ｄである。
【００１８】
整列部１１ｂでは、隣り合う内部絶縁体２２同士を接近させるとそれぞれの内部絶縁体２２について仮想される円Ｃが重なり合う。つまり、隣接した同軸ケーブル２０の中心導体２１同士の中心距離（並列ピッチ）Ｐが、内部絶縁体２２の外径Ｄよりも短くなる。内部絶縁体２２の壁板２２ｂ同士を押し付けると、壁板２２ｂが変形して内部絶縁体２２はさらに接近する。一方の内部絶縁体２２は他方の円Ｃの内側であって、壁板２２ｂが変形して退避した箇所に入り込み、筒状部２２ａ同士が接触することもある。
【００１９】
こうして中心導体２１は内部絶縁体２２の外径Ｄより小さい整列ピッチで整列され、整列部１１ｂの先端側で露出した中心導体２１をコネクタ１２（図１参照）や基板等の接続先の端子に狭いピッチで接続することができる。したがって、コネクタ１２や基板等の接続箇所の幅を小さくすることができる。
なお、壁板２２ｂを同軸ケーブル２０の中心軸方向に沿って直線状に設けることにより、整列部１１ｂにおける同軸ケーブル２０の長手方向に亘って中心導体２１同士の中心距離Ｐを狭くすることができる。
【００２０】
図４に、他の整列部の例の断面図を示す。
図４に示す整列部１１ｂでは、隣接する同軸ケーブル２０において、一方の内部絶縁体２２の壁板２２ｂが、他方の内部絶縁体２２の複数の壁板２２ｂの先端を通り同軸ケーブル２０の外周と同心である円Ｃの内側（すなわち空間２５）に入り込んでいる状態で、内部絶縁体２２同士が接触している。これにより、内部絶縁体２２の外径よりも狭いピッチで中心導体２１を整列することができる。なお、隣接する同軸ケーブル２０の空間２５に入り込んでいる壁板２２ｂを変形させることにより、中心導体２１間の間隔をさらに短くすることも可能である。
【００２１】
なお、本発明においては、多心ケーブル１０を構成する全ての同軸ケーブル２０を、内部絶縁体２２に壁板２２ｂ及び空間２５が形成されている構成（図２参照）としなくてもよい。例えば、図５に示すように、壁板２２ｂ及び空間２５が設けられていない断面円形の内部絶縁体２３を備えた同軸ケーブル２０ａが含まれていても良い。
図５に示す整列部１１ｂでは、同軸ケーブル２０と同軸ケーブル２０ａとが交互に整列されており、それぞれ隣接する内部絶縁体２２，２３間で、複数の壁板２２ｂの先端を通り同軸ケーブル２０の外周と同心である円Ｃの内側であって、壁板２２ｂが変形されて広げられた空間２５に内部絶縁体２３が入り込んだ状態となっている。なお、同軸ケーブル２０と同軸ケーブル２０ａとを交互に設けなくてもよく、多心ケーブル１０を構成する同軸ケーブルのうち少なくとも１本が内部絶縁体２２に壁板２２ｂ及び空間２５が形成されているものであれば、多心ケーブル１０の接続箇所の幅を小さくする効果は得られる。
【００２２】
また、前記実施形態においては、多心ケーブル１０の端部において複数本の同軸ケーブル２０を平面状に一列（一段）に整列した形態について例示したが、図６に示す整列部１１ｂのように、同軸ケーブル２０を平面状に二列（二段）に整列して重ねた形態とすることも可能である。あるいは、さらに多数の列に整列することも可能である。この場合においても、壁板２２ｂが設けられていない同軸ケーブル２０ａ（図５参照）を含むようにすることもできる。同軸ケーブル２０を複数列に整列すると、例えば図６に示した符号Ａの列と符号Ｂの列を、二列に接続端子が設けられたコネクタに接続することができる。
【００２３】
また、図２に示した同軸ケーブル２０では、内部絶縁体２２の外側に６枚の壁板２２ｂを等間隔で設けた形態としたが、壁板２２ｂの枚数はこれに限るものではない。また、壁板２２ｂのピッチは、等間隔でなくても良い。例えば、空間２５が大きな部分を設けておいて、隣接する同軸ケーブル２０のその部分同士が当接するように整列することもできる。
【図面の簡単な説明】
【００２４】
【図１】本発明に係る多心ケーブルの実施形態の例を示す概略斜視図である。
【図２】図１に示した同軸ケーブルの断面図である。
【図３】図１に示した整列部の断面図である。
【図４】整列部の他の例を示す断面図である。
【図５】整列部の他の例を示す断面図である。
【図６】同軸ケーブルを二列に整列した整列部の例を示す断面図である。
【図７】従来の同軸ケーブルの例を示す断面図である。
【符号の説明】
【００２５】
１０  多心ケーブル
１１，１１ｂ  整列部
２０  同軸ケーブル
２１  中心導体
２２  内部絶縁体
２２ａ  筒状部
２２ｂ  壁板
２５  空間
【図１】
2008311139.tif 000003
【図２】
2008311139.tif 000004
【図３】
2008311139.tif 000005
【図４】
2008311139.tif 000006
【図５】
2008311139.tif 000007
【図６】
2008311139.tif 000008
【図７】
2008311139.tif 000009